(57)【要約】【課題】目的は入射光によって効果的に装飾性を高められると共に、カスタマイズ性を向上させることができる装飾置物を提供することにある。【解決手段】透明のガラス容器２０と、このガラス容器２０に収容されたシリコーンオイル３０、シリコーンオイル３０とともにガラス容器２０に収容され、シリコーンオイル３０に浸漬されるプリザーブドフラワー４０と、ガラス容器２０にシリコーンオイル３０及びプリザーブドフラワー４０とともに収容され、ガラス容器２０の底部に沈下する複数個の透明又は半透明の多面体の反射屈折石５０とを具備し、シリコーンオイル３０と反射屈折石（アメシスト等）５０との可視光領域における相対屈折率が１．１以上である。【選択図】      図１
0003214664.tif 000002
【実用新案登録請求の範囲】
【請求項１】
透明の容器と、
前記容器に収容された透明のオイル、
前記容器に前記オイルとともに収容され、前記オイルに浸漬されたプリザーブドフラワーと、
前記容器に前記オイル及び前記プリザーブドフラワーとともに収容され、前記容器の底部に沈下する複数個の透明又は半透明の多面体の反射屈折石とを具備し、
前記オイルと前記反射屈折石との可視光領域における相対屈折率が１．１以上であることを特徴とする装飾置物。
【請求項２】
前記反射屈折石は任意に選択され、前記任意に選択された反射屈折石に応じて前記オイルがシリコーンオイル、流動パラフィンおよびミネラルオイルから選択されることを特徴とする請求項１に記載の装飾置物。
【請求項３】
前記容器を下方から支持する台座をさらに備え、
前記台座は、側面に光透過部を有すると共に、底部に前記光透過部からの入射光を光透過性の上面側に反射させる反射部を有することを特徴とする請求項１に記載の装飾置物。
【請求項４】
前記反射部は、前記台座の底部に設置された、前記容器側を頂点とする円錐形又は角錐形の鏡面体であることを特徴とする請求項３に記載の装飾置物。
【請求項５】
前記台座の底部は鏡面に形成され、
前記反射部は、前記台座の底部に形成された凸部であることを特徴とする請求項３に記載の装飾置物。
【考案の詳細な説明】
【技術分野】
【０００１】
本考案は、ガラス瓶の内部に保存料で加工された花卉（草花）や草木（プリザーブドフラワーという）がオイルと共に封入された観賞用の装飾置物に関し、特に、入射光を効果的に利用して装飾性を高めたものに関する。
【背景技術】
【０００２】
観賞用に適した生花や葉等の花卉又は草木を特殊液に浸して水分を抜いて保存性を高めたプリザーブドフラワーが知られている。さらに、このようなプリザーブドフラワーは、ガラス瓶の内部に透明なオイルと共に封入して、装飾性及び保存性を高める装飾置物が知られており、ハーバリウム等と称されている。なお、封入されるオイルとしては、ミネラルオイルや流動パラフィン、シリコーンオイル等の様々な種類のものが用いられている。
【考案の概要】
【考案が解決しようとする課題】
【０００３】
しかしながら、このような装飾置物の観賞性は、主に、封入される花卉や草木の種類、花瓶の形状に依存し、新たな工夫をする余地が少なく、さらに装飾性を加えたいという要望や、プレゼント用としてカスタマイズしたいという要望に応えることができなかった。
【０００４】
そこで本考案は、入射光によって効果的に装飾性を高められると共に、カスタマイズ性を向上させることができる装飾置物を提供することを目的とする。
【課題を解決するための手段】
【０００５】
本考案に係る装飾置物は、透明の容器を有する。容器には透明のオイルが収容される。容器にオイルとともにプリザーブドフラワーが収容される。プリザーブドフラワーはオイルに浸漬される。容器にオイル及びプリザーブドフラワーとともに複数個の反射屈折石が収容される。反射屈折石は容器の底部に沈下する、反射屈折石は透明又は半透明の多面体である。オイルに対する反射屈折石の可視光領域における相対屈折率は１．１以上である。
【考案の効果】
【０００６】
本考案によれば、入射光が反射屈折石に照射されることで反射屈折石がキラキラと輝き、装飾性が高まり、そして反射屈折石で反射した反射光がプリザーブドフラワーをその下方から照らすことによりプリザーブドフラワーが浮遊しているように視認でき、その幻想的な光景によりさらに装飾性が高まる。またオイルに対する可視光領域における相対屈折率が１．１以上を確保できる反射屈折石を任意に選択することにより、上記装飾性を確保しながらも、カスタマイズ性の向上をも実現できる。
【図面の簡単な説明】
【０００７】
【図１】本考案の第１の実施形態に係る装飾置物を示す断面図。
【図２】同装飾置物における入射光に対する屈折原理を示す説明図。
【図３Ａ】同装飾置物における相対屈折率の一例を示す説明図。
【図３Ｂ】同装飾置物における相対屈折率の別の例を示す説明図。
【図４】本考案の第２の実施形態に係る装飾置物を示す断面図。
【図５】同装飾置物の変形例を示す要部断面図。
【考案を実施するための形態】
【０００８】
図１は本考案の第１の実施形態に係る装飾置物１０を示す断面図、図２は装飾置物１０における入射光に対する屈折原理を示す説明図である。なお、本説明中に用いる絶対屈折率及び相対屈折率はいずれも可視光線に対するものである。
【０００９】
装飾置物１０は、無色透明のガラス材製のガラス容器２０と、ガラス容器２０に収容されたオイル３０と、ガラス容器２０にオイル３０とともに収容され、オイル３０に浸漬されるプリザーブドフラワー（保存加工された花卉や草木）４０と、ガラス容器２０にオイル３０及びプリザーブドフラワーとともに収容され、ガラス容器２０の底部に沈下する複数個の透明又は半透明の多面体の反射屈折石５０とを備えている。典型的には反射屈折石５０は直径数ｍｍ〜十数ｍｍ程度のものが用いられる。
【００１０】
ガラス容器２０は、容器本体２１と、この容器本体２１の上部に設けられた口部２２と、この口部２２を液密に閉塞するキャップ２３とを備えている。
【００１１】
オイル３０としては、シリコーンオイル、流動パラフィン、又は、ミネラルオイル等から選択される。反射屈折石５０としても誕生石等様々なものから選択される。オイル３０と反射屈折石５０との組み合わせは、両者の相対屈折率ｎＸが所定値以上、好ましくは１．１以上になるように選ばれる。典型的には反射屈折石５０は使用者の好みに応じて任意に選択され、任意に選択された反射屈折石５０に応じてオイル３０がシリコーンオイル、流動パラフィン、ミネラルオイル又は他の液剤から選択される。それにより反射屈折石５０の表面反射率を高めて、反射光を増大させ、プリザーブドフラワー４０を下方からより照らすことができる。
【００１２】
プリザーブドフラワー４０は、保存加工用の特殊液によって脱水された観賞用の花卉（草花）や草木であり、長期間、色あせを防止できる。
【００１３】
反射屈折石５０は、例えば、月長石（ムーンストーン）、石英/紅玉髄（カーネリアン）、真珠（パール）、石英/水晶（クリスタル）、石英/紫水晶（アメシスト）、石英/黄水晶（シトリン）、緑柱石/翠玉（エメラルド）、緑柱石/藍玉（アクアマリン）、トルコ石（ターコイズ）、黄玉（トパーズ）、電気石（トルマリン）、橄欖石（ペリドット）、翡翠（ジェイド）、柘榴石（ガーネット）、珊瑚（コーラル）、鋼玉/紅玉（ルビー）、鋼玉/青玉（サファイア）、金剛石（ダイヤモンド）等から１種類又は複数種類が適宜選択される。なお、これらの反射屈折石５０は、いわゆる誕生石と呼ばれるものである。なお、多面体としたことにより、境界面が平面となり、所望の相対屈折率が得られると共に、多方向への反射、拡散も期待できる。
【００１４】
オイル３０にシリコーンオイルを選択した場合、その絶対屈折率ｎ１は１．４であり、反射屈折石５０は、アメシストを選択した場合、絶対屈折率ｎ２が１．５４である。オイル３０と反射屈折石５０との相対屈折率ｎＸ＝ｎ２／ｎ１であることから、オイル３０としてシリコーンオイルを選択し、反射屈折石５０としてアメシストを選択したとき、その相対屈折率ｎＸ＝約１．１となる。
【００１５】
このように構成された装飾置物１０は、次のような効果が得られる。すなわち、ガラス容器２０の外部から入射する入射光Ｎがオイル３０を透過し、さらに反射屈折石５０を照射する。このとき、オイル３０と反射屈折石５０との絶対屈折率が異なっていると、図２に示すようにオイル３０と反射屈折石５０との界面において入射光Ｎの一部が反射し、また一部が屈折する。すなわち、界面に対しオイル３０内を角度θ１で入射した入射光Ｎは、反射屈折石５０に入るところで界面に対し角度θ２で屈折する。臨界角を超える入射光Ｎの一部は反射屈折石５０の表面で反射し、プリザーブドフラワー４０をその下方から照らす。それによりプリザーブドフラワー４０が浮遊し、オイル３０内で幻想的に浮かび上がるように視認できる。反射屈折石５０に入った光は内部反射を繰り返して、反射屈折石５０を煌かせる。反射屈折石５０とオイル３０との相対屈折率ｎＸが好ましくは１．１以上であると、これら現象が増大し、より装飾性が向上する。
【００１６】
また、上述したように反射屈折石５０を使用者の好みに応じた例えば誕生石を選択し、相対屈折率ｎＸが好ましくは１．１以上になるようにオイル３０の種類を選択することで、上述のように高い装飾性を確保できるとともに、使用者の好みに応じたカスタマイズが可能となり、使用者の満足度を向上させることも実現し得る。
【００１７】
図３Ａは、絶対屈折率ｎ１が１．４のシリコーンオイルを用いた場合における絶対屈折率ｎ２が反射屈折石５０との相対屈折率ｎＸを示す図である。すなわち、絶対屈折率ｎ２が１．５４以上の反射屈折石５０を選択すれば、相対屈折率ｎＸが１．１以上となる。例えば、反射屈折石５０としてアメシストを選択することができる。
【００１８】
図３Ｂは、絶対屈折率ｎ１が１．４８の流動パラフィン又はミネラルオイルを用いた場合における絶対屈折率ｎ２が反射屈折石５０との相対屈折率ｎＸを示す図である。すなわち、絶対屈折率ｎ２が１．６５以上の反射屈折石５０を選択すれば、相対屈折率ｎＸが１．１以上となる。例えば、反射屈折石５０としてガーネットを選択することができる。
【００１９】
このように本実施形態によれば、入射光によって反射屈折石５０及びプリザーブドフラワー４０の装飾性が高まると共に、反射屈折石５０を使用者の好みによって選択すればカスタマイズ性を向上させることも可能となる。
【００２０】
図４は本考案の第２の実施形態に係る装飾置物１０Ａを示す断面図である。なお、図４において図１と同一機能部分には同一符号を付し、その詳細な説明は省略する。
【００２１】
装飾置物１０Ａにおいては、ガラス容器２０の底部に照射台座６０が配置されている。照射台座６０は、円筒形に形成された台座本体６１を備えている。台座本体６１は少なくとも上面６２及び側面６３が光透過性の例えばガラス材製となっている。この台座本体６１の底部６４には、側面６３からの入射光Ｎを上面６２側に反射させる反射部７０が形成されている。反射部７０は、上面６２側を指向するようにその頂点が上側、底面が下側に設けられた円錐形又は角錐形の鏡面体である。
【００２２】
このように構成されていることにより、ガラス容器２０に入射した入射光Ｎは、上述したように上方から反射屈折石５０に入射し、反射屈折石５０を輝かせると共に、照射台座６０に例えば側方から入射した入射光Ｎは反射部７０で反射して、下方から上面６２を透過して反射屈折石５０に入射し、反射屈折石５０を輝かせることになる。
【００２３】
したがって、上述した装飾置物１０に加え、さらに装飾性を向上させることが可能となる。
【００２４】
図５は上述した装飾置物１０Ａの変形例に係る装飾置物１０Ｂを示す要部断面図である。なお、図５において図４と同一機能部分には同一符号を付し、その詳細な説明は省略する。
【００２５】
装飾置物１０Ｂにおいては、ガラス容器２０の底部に照射台座６０Ａが配置されている。照射台座６０Ａは、円筒形に形成された台座本体６１を備えている。台座本体６１は少なくとも上面６２及び側面６３が光透過性の例えばガラス材製となっている。また、底部６５は鏡面となっている。底部６５には、反射部として円錐状の凸部６６が形成されている。凸部６６は下方から見ると凹部である。凸部６６は、側面６３からの入射光Ｎを上面６２側に反射させる形状となっている。
【００２６】
このように構成されていると、ガラス容器２０に入射した入射光Ｎは、上述したように上方から反射屈折石５０に入射し、反射屈折石５０を輝かせると共に、照射台座６０Ａに入射した入射光Ｎは凸部６６で反射して、下方から上面６２を透過して反射屈折石５０に入射し、反射屈折石５０を輝かせることになる。
【００２７】
したがって、上述した装飾置物１０Ａと同様に装飾性を向上させることが可能となる。
【００２８】
なお、本考案は、上記実施形態に限定されるものではなく、実施段階ではその要旨を逸脱しない範囲で種々に変形することが可能である。
【符号の説明】
【００２９】
１０，１０Ａ，１０Ｂ…装飾置物、２０…ガラス容器、２１…容器本体、３０…オイル、４０…プリザーブドフラワー（保存加工された花卉や草木）、５０…反射屈折石、６０，６０Ａ…照射台座、６１…台座本体、７０…反射部。
【図１】
0003214664.tif 000003
【図２】
0003214664.tif 000004
【図３Ａ】
0003214664.tif 000005
【図３Ｂ】
0003214664.tif 000006
【図４】
0003214664.tif 000007
【図５】
0003214664.tif 000008